(57)【要約】      （修正有）【課題】点検操作による障害警報音の出力中に実際の火災が発生した場合の対応を適切且つ迅速に行うことを可能とする警報器を提供する。【解決手段】点検処理部７４は、イベント検出部５８で通常状態での警報停止スイッチ２０による点検指示操作を検知した場合、メモリ３２に記憶している障害情報であるローバッテリー障害フラグ７８やセンサ障害フラグ８０に基づき、報知部３６のスピーカ５６から障害元を示す障害警報音を出力させる。障害警報中断部７６は、点検処理部７４による障害警報の出力中にイベント検出部５８で他の警報器からの異状を示すイベント信号の有効受信を検知した場合に、スピーカ５６からの障害警報音を中断して連動先を示す火災警報音を出力させる。【選択図】図３
0003189065.tif 000002
【実用新案登録請求の範囲】
【請求項１】
電池電源で動作し、他の警報器と連携して火災等の異状を報知する警報器に於いて、
監視領域の環境変化を検知して検知信号を出力するセンサ部と、
所定周期毎に、前記電池電源の電圧低下および前記センサ部の故障をはじめとする障害検知を実行して、検知した障害情報を記憶部に記憶する障害検知部と、
メッセージを含む所定パターンの警報音と警報表示により異状警報又は障害警報を出力する報知部と、
外部から所定の処理を指示する操作部と、
前記センサ部の検出信号出力から検知した異状の有無、前記障害検知部による障害検知、及び前記操作部による警報停止操作や点検指示操作をはじめとするイベントを検知するイベント検出部と、
前記イベント検出部で検知したイベントを示すイベント信号を送信する送信部と、
他の警報器からのイベント信号を受信する受信部と、
前記イベント検出部で異状を検知した場合に、前記報知部から連動元を示す異状警報を出力させると共に、異状を示すイベント信号を他の警報器に送信させ、一方、前記イベント検出部で他の警報器から異状を示すイベント信号の有効受信を検知した場合に、前記報知部から連動先を示す異状警報を出力させる異状報知処理部と、
前記イベント検出部で障害検知を検知した場合に、前記報知部から障害元を示す障害警報を出力させると共に障害を示すイベント信号を他の警報器に送信させ、一方、前記イベント検出部で他の警報器から障害を示すイベント信号の有効受信を検知した場合に、前記報知部から障害先を示す障害警報を出力させる障害報知処理部と、
前記イベント検出部で前記操作部による点検指示操作を検知した場合、前記記憶部に記憶している障害情報に基づき、前記報知部から障害元を示す障害警報を出力させる点検処理部と、
前記点検処理部による障害警報の出力中に前記イベント検出部で他の警報器からの異状を示すイベント信号の有効受信を検知した場合に、前記障害警報を中断して連動先を示す異状警報を出力させる障害警報中断部と、
を設けたことを特徴とする警報器。
【請求項２】
請求項１記載の警報器に於いて、
前記点検処理部は、前記イベント検出部で前記操作部による点検指示操作を検知した場合に、前記記憶部に障害情報が記憶されていない正常を検知した場合、前記報知部からスピーカ点検用報知音を出力させ、
前記障害警報中断部は、前記点検処理部によるスピーカ点検用報知音の出力中に前記イベント検出部で他の警報器からの異状を示すイベント信号の有効受信を検知した場合に、前記スピーカ点検用報知音の出力を中断して連動先を示す異状警報音を出力させることを特徴とする警報器。
【請求項３】
請求項１記載の警報器に於いて、前記点検処理部は、前記イベント検出部で前記操作部による点検指示操作を検知した場合に、前記障害検知部に障害検知を実行させ、前記報知部から実行結果に応じた障害警報又は障害復旧情報を出力させることを特徴とする警報器。
【請求項４】
請求項１記載の警報器に於いて、前記障害試験中断部は、前記点検処理部による障害警報の出力中に前記イベント検出部で異状発生を検知した場合、前記障害警報の警報音を中断した後、点検中に異状が発生したことを示すメッセージを含む所定パターンの異状警報の警報音を出力させることを特徴とする警報器。
【請求項５】
請求項１記載の警報器に於いて、
前記障害検知部は、所定周期毎に電池電源の電圧低下および前記センサ部の故障をはじめとする障害を検知する自動点検を実行して障害を検知した場合に、障害フラグを前記記憶部に記憶すると共に所定の定期通報時間を設定したタイマを起動し、
前記障害報知処理部は、連動元を示す障害警報を出力した後に、前記イベント検出部で前記タイマによる前記定期通報時間の経過を検知する毎に、前記障害検知部が前記記憶部に記憶した障害フラグに基づき前記報知部から連動元を示す障害警報を出力させると共に、異状を示すイベント信号を他の警報器に送信させることを特徴とする警報器。
【請求項６】
請求項１記載の警報器に於いて、前記障害検知部は、
前記電池電源から供給される電圧の低下からローバッテリー障害を検知するローバッテリー障害監視部と、
前記センサ部に対し所定の点検を実行して障害を検知するセンサ障害監視部と、
を備え、
前記障害報知処理部は、
前記イベント検出部で前記ローバッテリー障害監視部によるローバッテリー障害の判別を検知した場合に、前記報知部から障害元を示すローバッテリー障害警報を出力させると共にローバッテリー障害を示すイベント信号を他の警報器に送信させ、一方、前記イベント検出部で他の警報器からローバッテリー障害を示すイベント信号の有効受信を検知した場合に、前記報知部から障害先を示すローバッテリー障害警報を出力させ、
前記イベント検出部で前記センサ障害監視部によるセンサ障害の検知した場合に、前記報知部から障害元を示すセンサ障害警報を出力させると共にセンサ障害を示すイベント信号を他の警報器に送信させ、一方、前記イベント検出部で他の警報器からセンサ障害を示すイベント信号の有効受信を検知した場合に、前記報知部から障害先を示すセンサ障害警報を出力させることを特徴とする警報器。
【考案の詳細な説明】
【技術分野】
【０００１】
本考案は、火災等の異状発生を検知した場合に、警報音を出力すると共に他の警報器に異状発生を示す信号を送信して警報音を出力させる連動型の警報器に関する。
【背景技術】
【０００２】
従来、住宅における火災やガス漏れなどの異状を検知して警報する警報器が普及している。このうち、住宅用火災警報器を住警器と言う。
【０００３】
このような住警器にあっては、住警器内にセンサ部と警報部を一体に備え、センサ部の検出信号から火災を検知すると警報部から所定パターンの火災警報音を出力するようにしており、専用の受信設備等を必要とせず住警器単体で火災監視と警報ができることから、設置が簡単でコスト的にも安価であり、一般住宅での設置義務化に伴い広く普及している。
【０００４】
また、複数の住警器間で通信を行うことによって、任意の住警器で火災警報音が出力されると、他の住警器でも連動して火災警報音を出力させる連動型の住警器システムも提案されている。
【０００５】
このような連動型の住警器システムでは、住警器で火災を検知した場合、火災を検知した連動元の住警器は、メッセージと警報音を含む所定パターンの火災警報音、例えば「ウーウー火災警報器が作動しました  確認してください」を出力し、一方、連動先の警報器では例えば「ウーウー  別の火災警報器が作動しました  確認してください」といった連動先を示す火災警報音を出力するようにしている。
【０００６】
また、近年、住警器の低消費電力化が推し進められた結果、電池寿命が例えば１０年以上といった長寿命が保証されており、その間、電池交換は不要である。長期間使用して電池寿命に近づき、電池電圧（残り容量）の低下が検出されると、電池切れ予告警報（以下、「ローバッテリー障害警報」と言う）を出力して電池交換を促すようにしている。
【０００７】
ローバッテリー障害警報の出力開始後（電池電圧低下検出後）は、引き続き所定時間（例えば７２時間）以上にわたって断続的なローバッテリー警報出力が可能であれば良いものとされており、即ち、所定時間以内に電池交換が行われれば問題ないものとされている。一般的には、この期間中も正常な監視動作が出来るように設計されていることから、ローバッテリー警報は火災警報のように緊急性の高い警報ではない。
【０００８】
従ってローバッテリー障害警報としては、従来、就寝時間帯である夜間から早朝にかけての音響警報出力を極力避けるために、電池電圧の低下を検出してから所定時間経過後に電池切れ警報をスピーカから出力させる火災警報器（特許文献１）や、電池電圧が所定の電圧以下に低下している場合、電池の低下を報知するために電源ランプ等を点灯又は点滅させ、この状態でスイッチ操作を行うと、電池交換を促す内容を含んだ音声メッセージをスピーカから出力させる電池式警報器（特許文献２）が知られている。
【０００９】
また、ユーザが長期間不在中に電池電圧の低下が検出された場合には、ローバッテリー障害警報を必要最小限の電力消費で可能な限り長期間継続して出力し続け、ユーザが帰宅した際に、確実に気付いてスイッチ操作で電池切れが分かるようにした警報器も提案されている（特許文献３）。
【００１０】
また連動型警報システムの住警器にあっては、ローバッテリー障害の有無を周期的に判断する自動点検以外に、センサや検出回路、音声報知回路故障の有無、汚損等による感度異状などセンサ障害を検知する自動点検を周期的に実行しており、通常状態で警報停止スイッチの操作により点検を指示すると、メモリに記憶された点検結果を報知するようにしている。
【００１１】
点検結果の報知は、障害がなければ、例えば火災警報音と同じ「ウーウー  火災警報器が作動しました  確認してください」といった警報音を、スピーカを点検するため実際の障害警報音に比べ低い音量で１回出力する。これは、手動操作による点検の際には操作者が警報器の近傍にいることが明らかであり、低音量でも充分に結果を告知出来るためであり、また大音量によって遠方に居る他の住人等を煩わせることを避けるためである。
【００１２】
一方、ローバッテリー障害を検出していれば「ピッ  電池切れです」といった障害警報音を複数回出力し、また、センサ障害を検出していれば「ピッ  故障です」といった障害警報音を複数回出力する。
【先行技術文献】
【特許文献】
【００１３】
【特許文献１】特開２００７−０９４７１９号公報
【特許文献２】実用新案登録第３１５４５７９号公報
【特許文献３】特開２００９−２４４９３７号公報
【考案の概要】
【考案が解決しようとする課題】
【００１４】
しかしながら、このような従来の連動型警報システムにおける住警器あっては、通常状態で警報停止スイッチの操作により点検を指示してローバッテリー障害やセンサ障害の障害警報音の出力中に別の場所で万一火災が発生した場合、点検指示操作を行った住警器は障害警報音の出力中にあるため、別の住警器から火災を示すイベント信号を有効受信しても、障害警報音の出力が終了するまで火災警報音を出力することができず、点検指示を行った住警器からの火災警報音の出力が適切にできない恐れがある。
【００１５】
また点検指示操作に対し障害がなければ、火災警報音と同じ「ウーウー  火災警報器が作動しました  確認してください」といったスピーカ点検（音響出力機能確認）用の報知音を実際の火災警報音に比べて低い音量で１回出力し、続いて他の住警器からの火災を示すイベント信号の有効受信に基づき連動先を示す「ウーウー  別の火災警報器が作動しました  確認してください」といった火災警報音が出力され、点検指示による警報音なのか火災発生による警報音なのか区別しづらいという問題もある。
【００１６】
本考案は、点検指示操作による障害警報音の出力中に火災が発生した場合の対応を適切かつ迅速に行えるようにする連動型の警報器を提供することを目的とする。
【課題を解決するための手段】
【００１７】
本考案は、電池電源で動作し、他の警報器と連携して火災等の異状を検知して報知する警報器に於いて、
監視領域の環境変化を検知して検知信号を出力するセンサ部と、
所定周期毎に、電池電源の電圧低下および前記センサ部の故障をはじめとする障害検知を実行して検知した障害情報を記憶部に記憶する障害検知部と、
メッセージを含む所定パターンの警報音と警報表示により異状警報又は障害警報を出力する報知部と、
外部から所定の処理を指示する操作部と、
センサ部の検出信号出力から検知した異状の有無、記障害検知部による障害検知、及び操作部による警報停止操作や点検指示操作をはじめとするイベントを検知するイベント検出部と、
イベント検出部で検知したイベントを示すイベント信号を送信する送信部と、
他の警報器からのイベント信号を受信する受信部と、
イベント検出部で異状を検知した場合に、報知部から連動元を示す異状警報を出力させると共に、異状を示すイベント信号を他の警報器に送信させ、一方、イベント検出部で他の警報器から異状を示すイベント信号の有効受信を検知した場合に、報知部から連動先を示す異状警報を出力させる異状報知処理部と、
イベント検出部で障害検知を検知した場合に、報知部から障害元を示す障害警報を出力させると共に障害を示すイベント信号を他の警報器に送信させ、一方、イベント検出部で他の警報器から障害を示すイベント信号の有効受信を検知した場合に、報知部から障害先を示す障害警報を出力させる障害報知処理部と、
イベント検出部で操作部による点検指示操作を検知した場合、記憶部に記憶している障害情報に基づき、報知部から障害元を示す障害警報を出力させる点検処理部と、
点検処理部による障害警報の出力中にイベント検出部で他の警報器からの異状を示すイベント信号の有効受信を検知した場合に、障害警報を中断して連動先を示す異状警報を出力させる障害警報中断部と、
を設けたことを特徴とする。
【００１８】
ここで、点検処理部は、イベント検出部で操作部による点検指示操作を検知した場合に、記憶部に障害情報が記憶されていない正常を検知した場合、報知部からスピーカ点検用報知音を出力させ、
障害警報中断部は、点検処理部によるスピーカ点検用報知音の出力中にイベント検出部で他の警報器からの異状を示すイベント信号の有効受信を検知した場合に、スピーカ点検用報知音の出力を中断して連動先を示す異状警報音を出力させる。
【００１９】
点検処理部は、イベント検出部で操作部による点検指示操作を検知した場合に、障害検知部に障害検知を実行させ、報知部から実行結果に応じた障害警報又は障害復旧情報を出力させても良い。
【００２０】
障害警報中断部は、点検処理部による障害警報の出力中にイベント検出部で異状発生を検知した場合、障害警報の警報音を途中で中断した後に異状警報の警報音を出力させる。
【００２１】
障害試験中断部は、点検処理部による障害警報の出力中にイベント検出部で異状発生を検知した場合、障害警報の警報音を中断した後、点検中に異状が発生したことを示すメッセージを含む所定パターンの異状警報の警報音を出力させる。
【００２２】
障害検知部は、所定周期毎に電池電源の電圧低下およびセンサ部の故障をはじめとする障害を検知する自動点検を実行して障害を検知した場合に、障害フラグを記憶部に記憶すると共に所定の定期通報時間を設定したタイマを起動し、
障害報知処理部は、連動元を示す障害警報を出力した後に、イベント検出部でタイマによる定期通報時間の経過を検知する毎に、障害検知部が記憶部に記憶した障害フラグに基づき報知部から連動元を示す障害警報を出力させる。
【００２３】
障害検知部は、
電池電源から供給される電圧の低下からローバッテリー障害を検知するローバッテリー障害監視部と、
センサ部に対し所定の点検を実行して障害を検知するセンサ障害監視部と、
を備え、
障害報知処理部は、
イベント検出部でローバッテリー障害監視部によるローバッテリー障害検知を検知した場合に、報知部から障害元を示すローバッテリー障害警報を出力させると共にローバッテリー障害を示すイベント信号を他の警報器に送信させ、一方、イベント検出部で他の警報器からローバッテリー障害を示すイベント信号の有効受信を検知した場合に、報知部から障害先を示すローバッテリー障害警報を出力させ、
イベント検出部でセンサ障害監視部によるセンサ障害検知を検知した場合に、報知部から障害元を示すセンサ障害警報を出力させると共にセンサ障害を示すイベント信号を他の警報器に送信させ、一方、イベント検出部で他の警報器からセンサ障害を示すイベント信号の有効受信を検知した場合に、報知部から障害先を示すセンサ障害警報を出力させる。
【考案の効果】
【００２４】
本考案によれば、通常状態での警報停止スイッチの操作などにより点検指示操作を行って警報器に設けたスピーカから点検結果として得られたローバッテリー障害やセンサ障害の障害警報音の出力中、或いは点検結果が正常であった場合のスピーカ点検用報知音の出力中に、他の住警器から火災を示すイベント信号が有効受信された場合、障害警報音やスピーカ点検用報知音の出力が自動的に中断されて適切に連動先を示す火災警報音を出力させることができ、点検指示による障害警報音などの出力中であっても火災発生に対し適切且つ迅速に対応することが可能となる。
【００２５】
また点検指示による障害警報音又はスピーカ点検用報知音の出力中に火災が発生した場合、点検中に火災が発生したことを示すメッセージを入れた火災警報音を出力することで、点検中に火災が発生したことが確実に伝わり、点検による警報音から明確に区別できるため、火災発生に対し適切且つ迅速に対応ことができる。
【図面の簡単な説明】
【００２６】
【図１】本考案の連動型の住警器による監視システムを設置した住宅を示した説明図
【図２】本考案による住警器の外観を示した説明図
【図３】本考案による住警器の実施形態を示したブロック図
【図４】図２の実施形態で使用するイベント信号および装置イベント信号のフォーマットを示した説明図
【図５】図３の住警器による監視処理を示したフローチャート
【図６】図５に続く住警器の監視処理を示したフローチャート
【図７】図６に続く住警器の監視処理を示したフローチャート
【図８】図７に続く住警器の監視処理を示したフローチャート
【考案を実施するための形態】
【００２７】
図１は住宅に対する本考案による住警器を用いた警報システムの設置状態を示した説明図である。図１の例にあっては、住宅２４に設けられている居間、台所、子供部屋、主寝室、階段室のそれぞれの警戒エリアに火災を検知して警報する無線式の住警器（住宅用火災警報器）１０−１〜１０−６が設置されている。
【００２８】
住警器１０−１〜１０−６は、イベント信号を無線により相互に送受信する機能を備え、住宅各所の、それぞれ対応する監視領域について監視を行い、ここでは６台で住宅全体の火災監視を行っている。いま住宅２４の台所で万一、火災が発生したとすると、住警器１０−１が火災を検知して警報を開始する。この火災を検知して警報を開始することを、住警器における「発報」という。
【００２９】
住警器１０−１が発報するとき、住警器１０−１は連動元として機能し、連動先となる他の住警器１０−２〜１０−６に対し、火災を示すイベント信号（以下「火災イベント信号」という）を無線により送信する。他の住警器１０−２〜１０−６は、連動元の住警器１０−１からの火災イベント信号を有効受信した場合に、警報音と警報表示により連動先としての警報動作を行う。
【００３０】
ここで有効受信とは、受信したイベント信号に含まれるグループ符号がメモリに登録しているグループ符号に一致したときに、このイベント信号を有効受信したことを検出する。また住警器１０−１〜１０−６から送信するイベント信号には、送信元の住警器を示す識別情報として例えば送信元符号が含まれている。なお、イベント信号を有効受信した住警器１００は必要に応じイベント信号の中継送信を行う。
【００３１】
連動元となった住警器１０−１の警報動作としては、例えば「ウーウー  火災警報器が作動しました  確認してください」といった音声メッセージによる火災警報音を出力する。一方、連動先の住警器１０−２〜１０−６にあっては、「ウーウー  別の火災警報器が作動しました  確認してください」といった音声メッセージによるカ災警報音を出力する。
【００３２】
また連動元となった住警器１０−１の警報に伴う警報表示としては、例えばＬＥＤを点灯させる。一方、連動先の住警器１０−２〜１０−６にあっては、ＬＥＤを点滅させる。これによって、連動元警報と連動先警報におけるＬＥＤによる警報表示を区別できるようにしている。
【００３３】
なお、連動元のＬＥＤを点滅とし、連動先のＬＥＤを明滅としても良いし、連動元警報と連動先警報のいずれについても、同じＬＥＤの明滅または点滅、点灯表示であっても良い。また例えば赤色ＬＥＤと黄色ＬＥＤを設け、連動元は赤色ＬＥＤを駆動し、連動先は黄色ＬＥＤを駆動するといった２色表示としても良い。もちろん、２つのＬＥＤを一体として、赤色と黄色の両方を発光可能な２色ＬＥＤが採用できる。
【００３４】
住警器１０−１〜１０−６が警報音を出している状態で、警報停止スイッチを操作すると、警報音及び警報表示の停止処理が行われる。
【００３５】
このとき例えば、連動元である住警器１０−１で警報停止操作が行われた場合には、全ての住警器１０−１〜１０−６の警報（警報音出力および／または警報表示出力）を停止し、連動先である住警器１０−２〜１０−６の何れかで警報停止操作が行われた場合には、連動元の住警器１０−１の警報は停止せず、連動先の住警器１０−２〜１０−６の警報を停止するようにする。なお、以下の説明において、住警器１０−１〜１０−６を区別しないで総称する場合には、住警器１０という。
【００３６】
また住警器１０は電池電源から供給される電圧の低下からローバッテリー障害を検知する障害検知処理をビルドインテストとして所定周期毎にバックグラウンドで自動実行しており、ローバッテリー障害を検知した場合、連動元（障害元）を示すローバッテリー障害警報を出力すると共に、他の住警器にローバッテリー障害を示すイベント信号（ローバッテリー障害イベント信号）を送信し、連動先（障害先）を示すローバッテリー障害警報を出力させる。
【００３７】
連動元を示すローバッテリー障害警報は、住警器１０のスピーカから例えば「ピッ  電池切れです」を複数回連続出力すると共にＬＥＤを例えば点灯し、その後は、定期通報タイマにより所定時間毎に「ピッ  電池切れです」の音声出力とＬＥＤによる表示を複数回行う処理を繰り返す。また連動先を示すローバッテリー障害警報は、住警器１０のスピーカから例えば「ピッ  別の警報器が電池切れです」を複数回連続出力すると共にＬＥＤを例えば点滅させる。
【００３８】
また住警器１０は通常状態で点検スイッチとして機能する警報停止スイッチを操作した場合、ビルドインテストとして自動実行された障害検知処理によりローバッテリー障害を検知している場合には、ローバッテリー障害警報として例えば「ピッ  電池切れです」を複数回連続出力すると共にＬＥＤを例えば点灯し、同時に他の住警器にローバッテリー障害を示すイベント信号（ローバッテリー障害イベント信号）を送信し、連動先（障害先）を示すローバッテリー障害警報として例えば「ピッ  別の警報器が電池切れです」を複数回連続出力すると共にＬＥＤを例えば点滅させる。
【００３９】
一方、ローバッテリー障害が検知されていない正常時には、スピーカ動作を点検するために火災警報音と同じ内容「ウーウー  火災警報器が作動しました  確認してください」をスピーカ点検用報知音として低音量で１回出力する。
【００４０】
また住警器１０はセンサ障害を判別する障害検知処理（自動点検）を所定周期毎にビルドインテストとしてバックグラウンドで自動実行しており、センサ障害を検知した場合、連動元（障害元）を示すセンサ障害警報を出力すると共に、他の住警器にセンサ障害を示すイベント信号（センサ障害イベント信号）を送信し、連動先（障害先）を示すセンサ障害警報を出力させる。
【００４１】
住警器１０で判別するセンサ障害には、センサや検出回路、音声報知回路故障の有無、汚損等による感度異状などが含まれている。
【００４２】
また住警器１０は通常状態で点検スイッチとして機能する警報停止スイッチを操作した場合、ビルドインテストとして自動実行された障害検知処理によりセンサ障害を検知している場合には、スピーカから連動元（障害元）を示す障害警報音として例えば「ピッ  故障です」を複数回連続出力させると共に、ＬＥＤを例えば点灯し、その後は定期通報タイマにより所定時間毎に「ピッ  故障です」の音声出力とＬＥＤの点灯による表示を複数回繰り返す。
【００４３】
また住警器１０はセンサ障害を検知した場合、センサ障害を示すイベント信号（以下「センサ障害イベント信号」という）を他の住警器に送信することで、例えば「ピッ  別の警報器が故障です」といった警報音を出力させると共に連動元とは異なる表示、例えば点滅を行わせる。
【００４４】
また住警器１０は通常状態で点検スイッチとして機能する警報停止スイッチを操作した場合、ビルドインテストとして自動実行された障害検知処理によりセンサ障害を判定している場合には、センサ障害警報として例えば「ピッ  電池切れです」を複数回連続出力すると共にＬＥＤを例えば点灯し、同時に他の住警器にセンサ障害イベント信号を送信し、連動先（障害先）を示すセンサ障害警報として例えば「ピッ  別の警報器が故障です」を複数回連続出力すると共にＬＥＤを例えば点滅させる。
【００４５】
一方、センサ障害が検知されていない正常時には、スピーカ動作を点検するために火災警報音と同じ内容の「ウーウー  火事です  火事です」をスピーカ点検用報知音として低音量で１回出力する。
【００４６】
図２は本考案による無線式の住警器の外観を示した説明図であり、図２（Ａ）に正面図を、図２（Ｂ）に側面図を示している。なお、取付フック１５を設けているほうを上側とする。
【００４７】
図２において、本実施形態の住警器１０の筐体はカバー１２と本体１４で構成されている。カバー１２の中央には、周囲に複数の煙流入口を開口し、その内部には検煙部１６が配置され、火災による煙が所定濃度に達したときに火災を検知するようにしている。
【００４８】
カバー１２に設けた複数の開口部の内部には検煙部１６を備え、検煙部１６の左下側には音響穴１８が設けられ、この背後にブザーやスピーカを内蔵し、警報音や音声メッセージを出力できるようにしている。検煙部１６の下側には警報停止スイッチ２０が設けられている。
【００４９】
警報停止スイッチ２０は住警器１０の機能の自己点検を指示する点検スイッチとしての機能を兼ねている。たとえば、火災警報時に警報停止スイッチ２０が操作されると警報を停止し、通常状態で警報停止スイッチ２０が操作されると機能点検を実施して結果を報知する。ここで通常状態とは、少なくとも火災警報中または障害警報中でない状態を指す。
【００５０】
警報停止スイッチ２０は、半透明部材で形成されたスイッチカバーと、スイッチカバーの内部に配置されたプッシュスイッチ（図示せず）とで構成されている。即ち、スイッチカバーを押圧操作すると、プッシュスイッチが押圧されるようになっている。スイッチカバー内部のプッシュスイッチ近傍には、点線で示すように警報等表示を行うＬＥＤ２２が配置されており、ＬＥＤ２２が点灯、点滅、明滅作動すると、作動光が警報停止スイッチ２０のスイッチカバーの部分を透過してＬＥＤ１２２の作動状態が外部から視認できるようにしている。
【００５１】
また本体１４の裏側上部には略中央部に挿通孔を有する取付フック１５が設けられており、設置する部屋の壁にビスなどをねじ込み、この取付フック１５の挿通孔にビスを通して引っかけることで、壁面に住警器１０を所謂壁掛け状に固定設置することができる。
【００５２】
なお図２の住警器１０にあっては、検煙部１６を備え、火災に伴い発生する煙に基づいて火災を検知する住警器を例に取っているが、これ以外に火災による熱を検出するサーミスタ等の温度検出素子を備えた住警器や火災に伴うその他の物理現象を検出する住警器、火災以外にガス漏れを検出する警報器、侵入者や地震その他の異状を検出する各種の警報器、これらを組み合わせて成る警報器についても、本考案の対象に含まれる。そして、本考案の警報システムは、これら各種の警報器を混在させて構成しても良い。
【００５３】
図３は図１の警報システムに設けた本考案による住警器の実施形態を示したブロック図である。これは一例であり、各機能の分離、統合は任意に行うことができる。また各機能のそれぞれの一部または全部は、ソフトウェア（プログラム）によって実行されるものであっても、ハードウェアによって実行されるものであっても良い。
【００５４】
図３において、住警器は台所に設置した住警器１０−１について示しているが、他の住警器１０−２〜１０−６についても同様の構成となる。
【００５５】
住警器１０−１はワンチップＣＰＵとして知られたプロセッサ２８を備え、プロセッサ２８に対してはアンテナ３１を備えた無線通信部３０、メモリ３２、センサ部３４、報知部３６、操作部３８及び電池電源４０を設けている。
【００５６】
無線通信部３０には送信回路４２と受信回路４４が設けられ、他の住警器１０−２〜１０−６との間でイベント信号を無線により送受信できるようにしている。無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００５７】
もちろん無線通信部３０としては、日本国内以外で使用する場合は、その地域の割当無線局の標準規格に準拠した内容を持つことになる。
【００５８】
なお、アンテナ３１、送信回路４２及び送信処理部６０を併せて送信部とし、アンテナ３１、受信回路４４及び受信処理部６２を併せて送信部とする。
【００５９】
メモリ３２には、イベント信号の順番を示す連続番号である連番４８、各住警器を特定する住警器識別情報となる送信元符号５０、図１のように住宅に設置した住警器１０−１〜１０−６で連動警報を行う連動グループを構成するためのグループ符号５２が格納されている。
【００６０】
連番４８はイベント信号を送信する毎に、所定のルールに則って自動生成、更新される（例えばインクリメントされる）符号であり、警報器間の、特に無線通信に於いてイベント信号の中継処理等を管理するためのものであるが、本考案に直接関係しないので詳細な説明を省略する。
【００６１】
送信元符号５０としては、国内に提供される住警器の何れとも同一符号として重複しないように、例えば２６ビットの多ビット符号コードとし、例えば住警器又は緊急地震速報装置のシリアル番号等を利用している。
【００６２】
連番４８や送信元符号５０を利用して再中継を許可したり禁止したりすることができ、不要な通信を避ける処理を行うことで、必要に応じた最適な中継を行うことができる。また例えば、連動先端末で中継送信されるイベント信号には、当該連動先端末の送信元符号に加えて連動元端末の送信元符号を付加するようにして、この連動元端末送信元符号から再送信の可否を検知して処理するようにすることもできる。また、中継送信の許可および禁止はこれに加え、イベント信号が示すイベントの内容毎に設定することもできる。
【００６３】
グループ符号５２は連動グループを構成する複数の住警器に共通に設定される符号であり、無線通信部３０で受信したイベント信号に含まれるグループ符号がメモリ３２に登録しているグループ符号５２に一致したときに、このイベント信号を有効な信号として処理することになるので、近隣の住宅等に設置された、連動を要しない他のグループに属する住警器との不要な連動を回避できる。
【００６４】
グループ符号５２は各住警器について必ずしも同一の符号である必要は無く、これを元に演算等を行うことによって自己が属するグループと他の住警器が属するグループが同じか否かを判定できるものであれば良い。グループ符号５２の登録は、出荷前や運用開始前に、外部スイッチの設定や通信機能を使った自動登録等、適宜の方法で行う。
【００６５】
センサ部３４には、煙を検知して煙濃度に応じた検知信号を出力する検煙部１６を設けている。前述のように、センサ部３４には検煙部１６に代えて、火災による温度を検知して検知信号を出力する素子やセンサ、火災に伴うその他の物理現象変化を検知して検知信号を出力する各種素子やセンサを設けても良い。
【００６６】
またメモリ３２にはビルドインテストによる定期的な障害監視処理（自動点検）による障害検知結果として、ローバッテリー障害フラグ７８またはセンサ障害フラグ８０が各障害を検知した場合に記憶される。またローバッテリー障害やセンサ障害を検知した後の定期的な障害警報の出力に使用される定期通報タイマ８２が設けられる。なお、定期通報タイマ８２はメモリ３２に配置せず、プロセッサ２８で実行されるプログラム上に記述して実行しても良い。
【００６７】
報知部３６には警報音等を出力する音響出力器であるスピーカ５６と警報表示等を行うＬＥＤ２２が設けられている。スピーカ５６は、図示しない音声合成回路部から、自己が保持している各種の音声メッセージや警報音等を、図示しない増幅部を介して出力する。ＬＥＤ２２は点滅や明滅、点灯などにより、火災などの異状その他を表示する。スピーカ５６に代えて、ブザー等を用いても良い。またＬＥＤ２２に代え、２色ＬＥＤや液晶表示器等を設けても良い。もちろん、ＬＥＤと液晶表示器を併設するなどしても良い。
【００６８】
操作部３８には警報停止スイッチ２０が設けられている。警報停止スイッチ２０は、報知部３６からスピーカ５６により火災や障害の警報音を出力しているとき又はＬＥＤ２２により警報表示を行っているときにのみ警報停止スイッチとして機能する。
【００６９】
例えば連動元を示す警報中に警報停止スイッチ２０を操作すると、警報音及び警報表示は停止され、一方、連動先を示す警報中に警報停止スイッチ２０を操作すると、警報音は停止し、警報表示は停止または警報音停止から所定時間後に停止するといった警報停止処理が行われる。
【００７０】
一方、連動元または連動先を示す火災警報または障害警報を行っていない通常状態においては、警報停止スイッチ２０は点検スイッチとして機能し、この状態で警報停止スイッチ２０を操作すると点検指示操作（点検指示入力）が検出され、点検結果としてメモリ３２にローバッテリー障害フラグ７８またはセンサ障害フラグ８０が記憶されているか否か判別し、障害フラグが記憶されていれば報知部３６のスピーカ５６から対応する障害内容を示す音声メッセージなどの障害警報が出力される。
【００７１】
またメモリ３２に障害フラグが記憶されていない場合には、点検結果は正常であることから、スピーカ５６を点検するための火災警報音と同じスピーカ点検用報知音を低音量で１回出力する。
【００７２】
なお、障害検知はバックグラウンドで行わずに、通常状態で警報停止スイッチ２０の操作を検出した場合（点検を指示した場合）に、バッテリー障害検知及びセンサ障害検知を含む所定の障害検知動作（点検動作）を実施して結果を報知するようにしても良い。
【００７３】
また、障害警報中に警報停止スイッチ２０が操作された場合には、バッテリー障害検知及びセンサ障害検知を含む障害検知動作（点検動作）を再度実施して結果を報知した後に障害警報停止処理を行うようにしても良い。このようにすれば、例えばセンサ故障等を再チェックした後に障害警報停止処理が行われるので、ユーザに対し、故障状態をより明確に認知させることができる。そして、このとき障害状態が解消（障害復旧）している場合には、例えば「障害は解消しました」等のメッセージを出力して、障害停止（復旧）処理に移行しても良い。
【００７４】
電池電源４０は、例えば所定セル数のリチウム電池やアルカリ乾電池を使用しており、電池容量としては住警器１０−１における無線通信部３０を含む回路部全体の低消費電力化により、例えば１０年の電池寿命を保証している。
【００７５】
プロセッサ２８にはプログラムの実行により実現される機能として、イベント検出部５８、送信処理部６０、受信処理部６２、異状報知処理部６４、障害検知部６６、障害報知処理部７２、点検処理部７４及び障害警報中断部７６の機能が設けられ、障害検知部６６にはローバッテリー障害検知部６８とセンサ障害検知部７０の機能が設けられている。
【００７６】
イベント検出部５８は、センサ部３４の検出信号出力から検知した火災の有無、操作部３８による警報停止指示入力の有無や点検指示入力の有無、センサ部３４の検出信号出力が低下して火災検知状態が解消される火災復旧、センサ障害やローバッテリー障害等のイベントを検知する。またイベント検出部５８は受信回路４４及び受信処理部６２を介して他の住警器１０−２〜１０−６からのイベント信号の解読結果として得られたイベント信号有効受信の有無およびそのイベント内容を検知する。
【００７７】
送信処理部６０は、イベント検出部５８によるセンサ部３４の検知信号出力からの火災検知、操作部３８による警報停止、センサ部３４の検知信号出力が低下して火災検知状態が解消される火災復旧等の自己のイベントを検知した場合に、検知したイベント内容を示すイベント信号を、無線通信部３０の送信回路４２を介してアンテナ３１から連動先の住警器に送信させる。また送信処理部６０は他の住警器から有効に受信したイベント信号を、必要に応じて中継送信する。
【００７８】
受信処理部６２は、他の住警器１０−２〜１０−６からのイベント信号を、アンテナ３１から無線通信部３０の受信回路４４を介して受信し解読する。
【００７９】
異状報知処理部６４は、イベント検出部５８で自己の異状として火災を検知した場合にイベント検出部５８から信号を受け、スピーカ５６から連動元を示す警報音を出力させると共に、ＬＥＤ２２を例えば点灯駆動して連動元を示す警報表示を行い、更に、火災イベント信号を他の住警器１０−２〜１０−６に送信する。
【００８０】
具体的に説明すると、異状報知処理部６４は、センサ部３４に設けた検煙部１６の煙検知信号に基づきイベント検出部５８で火災を検知した場合に、イベント検出部５８からその旨を示す信号を受け取り、これに基づき報知部３６に対しスピーカ５６から連動元を示す警報音例えば「ウーウー  火事です  火事です」の音声メッセージを繰り返し出力させる制御を行うと共に、ＬＥＤ２２を点灯させて連動元を示す警報表示制御を行い、更に、送信処理部６４および送信回路４２を介して火災イベント信号をアンテナ３１から他の住警器１０−２〜１０−６に向けて送信させる。
【００８１】
また異状報知処理部６４は、無線通信部３０の受信回路４４により他の住警器１０−２〜１０−６の何れかから火災イベント信号を有効受信したことをイベント検出部５８で検知した場合に、報知部３６のスピーカ５６から連動先を示す警報音（報知音）例えば「ウーウー  別の火災警報器が作動しました  確認してください」となる音声メッセージを繰り返し出力させ、同時にＬＥＤ２２を例えば点滅させて連動先を示す警報表示を行う。
【００８２】
また異状報知処理部６４は連動元を示す火災警報音または連動先を示す火災警報音の出力中に警報停止スイッチ２０の操作を検知した場合、又は他の住警器１０−２〜１０−６の何れかからの警報停止を示すイベント信号又は装置イベント信号受信を検知した場合、スピーカ５６からの音声メッセージとＬＥＤ２２の警報表示による火災警報の出力を停止する。このときはＬＥＤ２２による警報表示については、所定時間継続した後に停止しても良い。なお、連動元を示す火災警報中には、警報停止イベント信号受信があっても、少なくとも警報音の出力は継続させるようにしても良い。
【００８３】
障害検知部６６に設けたローバッテリー障害検知部６８は、所定の測定時間間隔、例えばＴ１＝４時間間隔で図示しない電圧検出回路を介して直接的又は間接的に、電池電源４０から供給される電源電圧をＡ／Ｄ変換により読み込んで所定の閾値電圧と比較し、この閾値電圧以下の時にローバッテリー障害の検出を予備判定（仮判定）し、更にローバッテリー障害検出の予備判定（仮判定）が連続して所定回数続いた場合にローバッテリー障害を検知（確定）し、ローバッテリー障害フラグ７８をセットしてメモリ３２に記憶する。
【００８４】
障害検知部６６に設けたセンサ障害検知部７０は、所定の測定時間間隔、例えばＴ２＝１秒間隔でセンサ部３４の検煙部１６から出力される煙濃度検出信号をＡ／Ｄ変換により読み込んでメモリ３２のバッファ領域に保持し、例えば所定の時間間隔Ｔ３＝１０分毎に、メモリ３２のバッファ領域に保持している１０分間ぶんの検出データの平均値を求め、この平均値が所定の基準レベル（零点レベルという）を下回った場合に出力停止状態である等としてセンサ部３４の障害を検知し、センサ障害フラグ８０をセットしてメモリ３２に記憶する。
【００８５】
このように煙濃度検出信号の１０分間平均値が零点レベルを下回る原因は、検煙部１６に設けている受光素子故障や受光素子からの出力信号線断線、受光アンプの停止などの障害が発生したことによるものである可能性が高いためセンサ障害とする。
【００８６】
なお、センサ部１６にサーミスタなどの温度検出素子を設けた場合にも、各種の処理により、同様にセンサ障害を検知することができる。その他、スピーカ５６への出力線の断線や他の回路故障、通信異状等を同様に障害監視することができる。このような障害についても、検知後はセンサ障害と同様の処理を行ことから、本実施形態にあってはセンサ障害と総称している。
【００８７】
このように本実施形態におけるローバッテリー障害検知部６８とセンサ障害検知部７０の検知処理はビルドインテストとしてバックグラウンドで自動実行されている。
【００８８】
障害報知処理部７２は、イベント検出部５８でローバッテリー障害検知部６８によるローバッテリー障害検知を検知した場合、報知部３６のスピーカ５６から連動元（障害元）を示すローバッテリー障害の警報音としてたとえば「ピッ  電池切れです」を複数回連続出力すると共にＬＥＤ２２を例えば点灯する。その後は、メモリ３２の定期通報タイマ８２を起動し、メモリ３２に記憶しているローバッテリー障害フラグ７８に基づき所定時間毎に「ピッ  電池切れです」の音声出力とＬＥＤ２２による表示を複数回行う処理を繰り返す。
【００８９】
同時に障害報知処理部７２は、ローバッテリー障害イベント信号を他の住警器１０−２〜１０−６に送信させることで、連動先を示すローバッテリー障害警報を警報音として「ピッ  別の警報器が電池切れです」を出力させると共に連動元とは異なる点滅表示を行わせる。
【００９０】
また障害報知処理部７２は、イベント検出部５８でセンサ障害監視部７０によるセンサ障害検知を検知した場合、報知部３６のスピーカ５６から連動元（障害元）を示すセンサ障害の警報音として例えば「ピッ  故障です」を複数回連続出力し、同時にＬＥＤ２２を例えば点灯する。
【００９１】
その後はメモリ３２の定期通報タイマ８２を起動し、メモリ３２に記憶されたセンサ障害フラグ８０に基づき所定時間毎に「ピッ  故障です」の音声出力とＬＥＤ２２による表示を複数回行う処理を繰り返す。同時に障害報知処理部７２は、センサ障害イベント信号を他の住警器１０−２〜１０−６に送信させることで、連動先を示すローバッテリー障害警報を警報音として「ピッ  別の警報器が電池切れです」を出力させると共に連動元とは異なる点滅表示を行わせる。
【００９２】
点検処理部７４は、イベント検出部５８で通常状態で警報停止スイッチ２０の操作による点検指示操作（点検指示入力）を検知した場合、メモリ３２にローバッテリー障害フラグ７８が記憶されていることを検知した場合には、障害警報処理部７２により例えば「ピッ  電池切れです」を複数回連続出力させ、同時にＬＥＤ２２を例えば点灯させ、同時に、ローバッテリー障害イベント信号を他の住警器１０−２〜１０−６に送信させることで、連動先を示すローバッテリー障害警報を警報音として「ピッ  別の警報器が電池切れです」」を出力させると共に連動元とは異なる点滅表示を行わせる。
【００９３】
また点検処理部７４は、イベント検出部５８で警報停止スイッチ２０の操作による点検指示操作（点検指示入力）を検知した場合、メモリ３２にセンサ障害フラグ８０が記憶されていることを検知した場合には、障害報知処理部７２により例えば「ピッ  故障です」を複数回連続出力させ、同時にＬＥＤ２２を例えば点灯させ、同時に、センサ障害イベント信号を他の住警器１０−２〜１０−６に送信させることで、連動先を示すローバッテリー障害警報を警報音として「ピッ  別の警報器が故障です」を出力させると共に、連動元とは異なる点滅表示を行わせる。
【００９４】
このように点検のために警報停止スイッチ２０を操作した場合には、住警器の前に必ず人がいることから、ローバッテリー障害やセンサ障害を確実に知らせることができる。
【００９５】
また点検処理部７４は、イベント検出部５８で警報停止スイッチ２０の操作による点検指示操作（点検指示入力）を検知した場合、メモリ３２にローバッテリー障害フラグ７８もセンサ障害フラグ８０が記憶されていない場合は正常と判断し、この場合には、報知部３６のスピーカ５６から正常に警報音が出力されることを確認するスピーカ点検のため、火災警報音と同じ内容をもつ「ウー  ウー  火災警報器が作動しました  確認してください」をスピーカ点検用報知音として実際の火災警報音に比べ低音量で１回出力させる。
【００９６】
なお、点検処理部７４は、イベント検出部５８で警報停止スイッチ２０の操作による点検指示操作（点検指示入力）を検知した場合、障害検知部６６にローバッテリー障害およびセンサ障害の障害検知処理（点検）を再度実行させ、障害を検知したら障害警報を出力し、正常を検知すればスピーカ点検用警報音を出力させるようにしても良い。これにより、最新の点検結果を報知することができる。
【００９７】
障害警報中断部７６は、点検処理部７４による警報停止スイッチ２０の点検指示操作に基づくローバッテリー障害警報またはセンサ障害警報の出力中にイベント検出部５８で他の住警器１０−２〜１０−６からの火災を示すイベント信号の有効受信を検知した場合に、ローバッテリー障害警報またはセンサ障害警報を中断して連動先を示す例えば「ウー  ウー  別の火災警報器が作動しました  確認してください」といった火災警報音を出力させる。
【００９８】
また障害警報中断部７６は、点検処理部７４による警報停止スイッチ２０の点検指示操作に対し正常が検知されてスピーカ５６からスピーカ点検用報知音の出力中にイベント検出部５８で他の住警器１０−２〜１０−６からの火災を示すイベント信号の有効受信を検知した場合、スピーカ点検用報知音の出力を中断して連動先を示す火災警報音を出力させる。
【００９９】
ここで障害警報中断部７６が障害警報音またはスピーカ点検用報知音を中断した後に出力させる火災警報音としては、点検中に火災が発生したことを示すメッセージを含む所定パターンの火災警報音として、例えば「ウー  ウー  点検中に別の火災警報器が作動しました  確認してください」を出力させる。
【０１００】
これによって点検中に別の住警器１０−２〜１０−６により火災発生が検知されたことを適確に認識し、迅速な対処行動をとることができる。また、点検結果が正常な場合には、スピーカ点検用報知音して「ウー  ウー  別の火災警報器が作動しました  確認してください」を低音量で出力しているが、中断後には点検中に火災発生が別の場所で検知されたことを示す「ウー  ウー  点検中に別の火災警報器が作動しました  確認してください」といった火災警報音となるため、スピーカ点検用警報音から明確に区別して火災発生を知ることができる。
【０１０１】
なお、火災発生に基づく障害警報音やスピーカ点検用報知音の中断は、警報音の途中であっても終了を待つことなく中断し、火災発生を示す火災警報音を出力させる。
【０１０２】
図４は本実施形態で連動警報に使用するイベント信号フォーマットを概略的に示した説明図である。図４において、イベント信号４６は連番４８、送信元符号５０、グループ符号５２及びイベント符号５４で構成されている。
【０１０３】
連番４８はイベント信号の順番を示す連続番号であり、端末（住警器）それぞれにイベント信号を送信する毎に１つずつ増加させる。また、連番４８は住警器の各々で非同期に生成している。連番４８は住警器１０−１〜１０−６間の、主に無線通信に於いてイベント信号の中継処理等を管理するためのものであるが、本考案に直接関係しないので詳細な説明を省略する。
【０１０４】
送信元符号５０は住警器識別情報として用いられる例えば２６ビットの符号であり、例えば住警器のシリアル番号等を利用している。グループ符号５２は例えば８ビットの符号であり、同一グループを構成する例えば図１の住警器１０−１〜１０−６につき例えば同じグループ符号が設定されている。
【０１０５】
なおグループ符号５２としては、同一グループの住警器に同一のグループ符号を設定する以外に、例えば予め定めたグループを構成する住警器に共通な基準符号と各住警器に固有な送信元符号との演算から求めた住警器ごとに異なるグループ符号であってもよい。すなわち、イベント信号を受信した各端末（住警器）がそれをもとに自己と同一グループの端末からの信号であるか否かを判定できるものであれば、どのような符号であっても良い。
【０１０６】
イベント符号５４は、火災、ガス漏れ（例えばガス漏れ警報器やガス漏れ検出機能を併せ持つ住警器等の場合）などのイベント内容を表す符号であり、本実施形態にあっては４ビット符号を使用しており、例えば
００１＝火災
０１０＝ガス漏れ
０１１＝警報停止（火災警報停止、ガス漏れ警報停止、障害警報停止）
１００＝復旧（火災復旧、ガス漏れ復旧、障害復旧）
１０１＝センサ障害
１１０＝ローバッテリー障害
としている。ここで、０００はイベント検出を伴わない、例えば定期通報に使用する。
【０１０７】
なおイベント符号５４のビット数は４ビット、５ビットと増加させることで、更に多くのイベント内容を表すことができる。例えば、復旧のイベント符号は火災復旧，ガス漏れ復旧、障害復旧に分けても良い。
【０１０８】
また、火災以外の異状を検知する警報器では、上記の００１を検出対象となる異状イベントに置き換えても良いし、検出対象となる異状イベントの種類を、例えば上記に追加しても良い。このようにして、例えば同じグループ内に、検出対象とする異状種別の異なる警報器を混在させることもできる。
【０１０９】
図５乃至図８は図３の住警器１０における監視処理の概略例を示したフローチャートである。図５において、住警器１０の電池電源４０による電源供給が開始されると、ステップＳ１で初期化、自己診断、禁止モードの設定の有無を含む各種設定の読み込みを実行し、異常がなければステップＳ２に進み、火災の有無を検知している。
【０１１０】
センサ部３４から出力された煙検知信号が所定の火災レベルを超えると火災が検知され、ステップＳ２で火災検知を判別してステップＳ３に進み、連番、火災を検知している住警器を特定する送信元符号、グループ符号、火災を示すイベント符号を含むイベント信号を他の住警器に無線送信した後、ステップＳ４で報知部３６のスピーカ５６から音声メッセージやブザー音等による警報音とＬＥＤ２２の例えば点灯による警報表示とにより連動元を示す火災警報を出力する。
【０１１１】
続いて、ステップＳ５でセンサ部３４からの煙検知信号が低下して火災検知状態が解消する火災復旧の有無を検知しており、火災復旧を検知するとステップＳ６で連番、送信元符号、グループ符号、火災復旧を示すイベント符号を含むイベント信号を他の住警器に送信した後、ステップＳ７でスピーカ５６からの警報音とＬＥＤ２２の点灯による警報表示とによる連動元を示す火災警報を停止する。なお、ＬＥＤ２２による警報表示は所定時間経過後に消灯しても良い。
【０１１２】
続いてステップＳ８で警報停止スイッチ２０の警報停止指示操作の検出有無を検知し、スイッチ操作が検知されるとステップＳ９で警報中の有無を検知する。ステップＳ９で警報中が検知されると、ステップＳ１０に進んで連番、送信元符号、グループ符号、警報停止を示すイベント符号を含むイベント信号を他の住警器に送信し、ステップＳ１１に進んでスピーカ５６からの連動元を示す警報音出力を停止し、ＬＥＤ２２の点灯による警報表示を消灯する。なお、ＬＥＤ２２は所定時間経過後に消灯しても良い。
【０１１３】
なお、ステップＳ９で警報中でないことを検知した場合には、ステップＳ８で検知した警報停止スイッチの操作を点検指示動作と認定し、所定の点検動作を実施して結果を報知するようにしているが、図示を省略している。
【０１１４】
続いて図６のステップＳ１２に進み、他の住警器から送信または中継送信された火災を示すイベント信号の有効受信の有無を検知している。他の住警器からの火災を示すイベント信号の有効受信を検知すると、ステップＳ１３に進んで連動先を示す火災警報としてスピーカ５６から警報音を出力し、ＬＥＤ２２の点滅による警報表示を行う。
【０１１５】
次にステップＳ１４で他の住警器から送信または中継送信された火災復旧を示すイベント信号の有効受信の有無を検知しており、火災復旧を示すイベント信号の有効を検知すると、ステップＳ１５に進んで連動先の警報として行っているスピーカ５６からの警報音出力とＬＥＤ２２の点滅による警報表示を停止する。
【０１１６】
次にステップＳ１６で他の住警器から送信または中継送信された警報停止を示すイベント信号の有効受信の有無を検知しており、警報停止を示すイベント信号の有効受信を検知すると、ステップＳ１７に進んで警報中の有無を判別し、警報中を判別するとステップＳ１８に進んで連動先としての警報音出力を停止し、警報表示も停止させる。
【０１１７】
続いて図７のステップＳ１９に進み、ローバッテリー障害の有無を検知し、ローバッテリー障害を検知するとステップＳ２０に進んでメモリ３２にローバッテリー障害フラグ７８をグセットして記憶すると共に定期通報タイマ８２を起動する。
【０１１８】
続いてステップＳ２１で障害元を示すローバッテリー障害の警報出力と警報表示を行った後、ステップＳ２２でローバッテリー障害イベント信号を他の住警器に送信する。
【０１１９】
続いてステップＳ２３に進み、センサ障害の有無を検知し、センサ障害を検知すると、ステップＳ２４に進んでメモリ３２にセンサ障害フラグ８０をセットして記憶すると共に定期通報タイマ８２を起動する。
【０１２０】
続いてステップＳ２５で障害元を示すセンサ障害の警報出力と警報表示を行った後、ステップＳ２６でセンサ障害イベント信号を他の住警器に送信する。
【０１２１】
続いてステップＳ２７でメモリ３２におけるローバッテリー障害フラグ７８またはセンサ障害フラグ８０のセットの有無を検知し、いずれかの障害フラグの記憶を検知するとステップＳ２８に進み、ステップＳ２０またはＳ２４で起動した定期鳴動タイマ８２が所定時間経過した定期鳴動タイミングの有無を検知し、定期鳴動タイミングを検知するとステップＳ２９に進み、そのときローバッテリー障害フラグがセットされていればローバッテリー障害警報を出力させ、センサ障害フラグがセットされていればセンサ障害警報を出力させる。
【０１２２】
続いて図８のステップＳ３０に進み、警報停止スイッチ２０の操作による点検指示操作の有無を検知しており、点検指示操作を検知するとステップＳ３１に進み、メモリ３２における障害フラグの記憶の有無を検知し、障害フラグの記憶無しを検知した場合はステップＳ３２に進み、正常報知として例えばスピーカ点検用報知音として火災警報音と同じ「ウー  ウー  火災警報器が作動しました  確認してください」を低音量で１回出力させ、住警器１０が正常に動作することを利用者に知らせる。
【０１２３】
ステップＳ３１で障害フラグの記憶を検知した場合はステップＳ３３に進み、そのときローバッテリー障害フラグ７８の記憶を検知した場合はローバッテリー障害警報を出力させ、センサ障害フラグ８０の記憶を検知した場合はセンサ障害警報を出力させる。
【０１２４】
障害警報の出力中はステップＳ３４で障害警報出力の終了の有無を検知し、未終了を検知した場合はステップＳ３５で他の住警器からの火災イベント信号の有効受信の有無を検知しており、ステップＳ３５で火災イベント信号の有効受信を検知することなくステップＳ３５で障害警報出力の終了を検知すると図５のステップＳ２に戻る。
【０１２５】
一方、ステップＳ３５で障害警報音の出力中に他の住警器からの火災イベント信号の有効受信を検知すると、ステップＳ３６に進んでスピーカ５６からの障害警報音の出力を中断し、続いてステップＳ３７で連動先を示す火災警報音の出力と警報表示を行う。この火災警報音には点検中に火災が発生したことを示すメッセージが含まれている。
【０１２６】
火災警報音の出力中はステップＳ３８で警報停止の有無を検知しており、警報停止を検知するとステップＳ３９に進んで火災警報音と警報表示の停止処理を行う。なお、ステップＳ３８における警報停止の検知は、警報停止スイッチ２０の操作指示入力の検知、他の住警器からの火災復旧イベント信号の有効受信の検知、又は他の住警器から警報停止イベント信号の有効受信の検知のいずれかを判別した場合であり、その詳細は、図５のステップＳ５〜Ｓ１１、及び図６のステップＳ１４〜Ｓ１８に示した内容となる。
【０１２７】
なお、図６乃至図８のフローチャートでは、他の住警器からローバッテリー障害またはセンサ障害を示すイベント信号を受信した場合の処理は省略しているが、他の住警器からローバッテリー障害またはセンサ障害を示すイベント信号の有効受信を検知した場合は、連動先（障害先）を示すローバッテリー障害警報またはセンサ障害警報を警報音と警報表示で行う。
【０１２８】
また、上記の実施形態は火災を検知して警報する住警器を例にとるものであったが、ガス漏れ警報器、ＣＯ警報器、各種の防犯用警報器を配置した警報システムやそれら各種の警報器を混在させて配置した警報システムについても同様に適用できる。
【０１２９】
また、警報器同士は必ずしも連動するものでなくても良く、一部の警報器は連動し、他の警報器は連動しないものとしても良い。
【０１３０】
また、警報器の各連携は無線通信によるものでなくても良く、有線通信によっても、また有線と無線を適宜混在させるものであっても良い。
【０１３１】
また、上記の実施形態で警報停止スイッチ２０として示した操作手段は、必ずしもスイッチである必要は無く、リモコン装置等を使用して外部からの通信によって警報履歴出力を指示するもの等、どのような手段や方法を適用しても良い。
【０１３２】
また上記の実施形態におけるフローチャートは処理の概略例を説明したもので、処理の順番等はこれに限定されない。また各処理や処理と処理の間に必要に応じて遅延時間を設けたり、他の判定を挿入する等ができる。
【０１３３】
また、上記実施の形態で示した各機器のプロセッサは、その機能の一部又は全部を、例えばワイヤードロジック等による他の手段に代えることができる。プロセッサを含め他の電気的、機能的構成は適宜に統廃合することもできる。
【０１３４】
また上記の実施形態で述べた「受信がある」、「受信が無い」、「受信した場合」、「受信を判別」等は、受信した信号が有効なものとして認識されたか否かの判定も含んでいる。
【０１３５】
また、警報器の規格等によっては、上記実施形態のＬＥＤによる表示が「警報」と認められない場合があるが、本考案では規格上「警報」に含まれるか否かに関わらず、警報表示、警報に伴う表示、または単に表示として記載している。本考案の目的を達成できるものであれば、どのような表示手段を用いても構わない。そして、表示部は警報器と別体に設けられていても良い。
【０１３６】
また、上記の実施形態では、電池電源によって動作する住警器を例に取ったが、電池電源以外の電源で動作するものにも本考案を適用できる。
【０１３７】
また、上記の実施形態は住宅用に限らずビルやオフィス用など各種用途の警報器にも適用できる。
【０１３８】
また、上記の実施形態は警報器にセンサ部と警報出力処理部を一体に設けた場合を例にとるが、他の実施形態として、センサ部と警報出力処理部を別体とした警報器であっても良い。
【０１３９】
また本考案は上記の実施形態に限定されず、その目的と利点を損なうことのない適宜の変形を含み、更に上記の実施形態に示した数値による限定は受けない。
【符号の説明】
【０１４０】
１０，１０−１〜１０−６：住警器
１２：カバー
１４：本体
１６：検煙部
１７：取付フック
１８：音響孔
２０：警報停止スイッチ
２１：モードスイッチ
２２：ＬＥＤ
２４：住宅
２８：プロセッサ
３１：アンテナ
３０：無線通信部
３２：メモリ
３４：センサ部
３６：報知部
３８：操作部
４０：電池電源
４２：送信回路
４４：受信回路
４６：イベント信号
４８：連番
５０：送信元符号
５２：グループ符号
５４：イベント符号
５６，７４：：スピーカ
５８：イベント検出部
６０：送信処理部
６２：受信処理部
６４：異状報知処理部
６６：障害検知部
６８：ローバッテリー障害検知部
７０：センサ障害検知部
７２：障害報知処理部
７４：点検処理部
７６：障害警報中断部
７８：ローバッテリー障害フラグ
８０：センサ障害フラグ
８２：定期通報タイマ
【図１】
0003189065.tif 000003
【図２】
0003189065.tif 000004
【図３】
0003189065.tif 000005
【図４】
0003189065.tif 000006
【図５】
0003189065.tif 000007
【図６】
0003189065.tif 000008
【図７】
0003189065.tif 000009
【図８】
0003189065.tif 000010